【手続補正書】
【提出日】平成20年5月12日(2008.5.12)
【手続補正１】
【補正対象書類名】特許請求の範囲
【補正対象項目名】全文
【補正方法】変更
【補正の内容】
【特許請求の範囲】
【請求項１】
転写材に画像を形成する画像形成手段を備える画像形成装置であって、
転写材の端部まで画像形成を行う縁無し印刷を中断する条件が成立しているか否かを判定する条件成立判定手段と、
縁無し印刷が指示されていない場合には、前記縁無し印刷を中断する条件の成立にかかわらず、画像形成を画像形成手段に行わせる実行手段と、
縁無し印刷が指示されている場合であって、前記縁無し印刷を中断する条件が成立している場合に、縁無し印刷を中断する中断手段と、を有することを特徴とする画像形成装置。
【請求項２】
前記条件成立判定手段により前記縁無し印刷を中断する条件が成立したと判定された場合に、縁無し印刷から縁あり印刷に変更し再度印刷指示を行う指示手段を更に有することを特徴とする請求項１に記載の画像形成装置。
【請求項３】
前記転写材の単位面積あたりの重さである坪量を検知する坪量検知手段と、
温度を検知する温度検知手段と、
湿度を検知する湿度検知手段と、を更に有し、
前記条件成立判定手段は、前記坪量検知手段による坪量検知結果と、前記温度検知手段による温度検知結果と、前記湿度検知手段による湿度検知結果とが、各坪量の範囲ごとの温度及び湿度の対応が前記縁無し印刷を禁止する場合に該当するときに、前記縁無し印刷を中断する条件が成立していると判定することを特徴とする請求項１に記載の画像形成装置。
【請求項４】
温度を検知する温度検知手段と、
湿度を検知する湿度検知手段と、を更に有し、
前記条件成立判定手段は、前記温度検知手段による温度検知結果と、前記湿度検知手段による湿度検知結果とが、温度及び湿度の対応が前記縁無し印刷を禁止する場合に該当するときに、前記縁無し印刷を中断する条件が成立していると判定することを特徴とする請求項１に記載の画像形成装置。
【請求項５】
前記転写材の単位面積あたりの重さである坪量を検知する坪量検知手段を更に有し、
前記中断手段は、前記坪量検知手段の検知結果により、坪量が閾値以下の転写材が検知された場合に、縁無し印刷を中断することを特徴とする請求項１に記載の画像形成装置。
【請求項６】
廃トナー回収ユニットと、縁無し印刷する上で中間転写ベルトに一次転写されたトナー像を転写材に二次転写するための縁無し印刷用二次転写ユニットと、排紙オプションと、を更に有し、
前記縁なし印刷を中断する条件は、前記廃トナー回収ユニットの廃トナー量が所定量以上であること、或いは前記縁無し印刷用二次転写ユニットが装着されていないこと、或いは前記排紙オプションが縁無し印字を許可していないことであることを特徴とする請求項１乃至５の何れか１項に記載の画像形成装置。
【請求項７】
前記中断手段は、転写材の搬送制御により、転写材の先端に印字しない部分を形成し、ミスプリントを発生させ、前記指示手段は、前記ミスプリントの発生をもって縁無し印刷から縁あり印刷に変更し再度印刷指示を行うことを特徴とする請求項２に記載の画像形成装置。
【手続補正２】
【補正対象書類名】明細書
【補正対象項目名】００２５
【補正方法】変更
【補正の内容】
【００２５】
本発明は、上述の問題点に鑑みてなされたものであって、縁なし印刷を指示されたとき、エンジン制御部が、縁なし印刷を中断することにより、ダメージを防止することのできる画像形成装置の提供を目的とする。
【手続補正３】
【補正対象書類名】明細書
【補正対象項目名】００２７
【補正方法】変更
【補正の内容】
【００２７】
（１）転写材に画像を形成する画像形成手段を備える画像形成装置であって、
転写材の端部まで画像形成を行う縁無し印刷を中断する条件が成立しているか否かを判定する条件成立判定手段と、縁無し印刷が指示されていない場合には、前記縁無し印刷を中断する条件の成立にかかわらず、画像形成を画像形成手段に行わせる実行手段と、縁無し印刷が指示されている場合であって、前記縁無し印刷を中断する条件が成立している場合に、縁無し印刷を中断する中断手段と、を有することを特徴とする画像形成装置。
（２）前記条件成立判定手段により前記縁無し印刷を中断する条件が成立したと判定された場合に、縁無し印刷から縁あり印刷に変更し再度印刷指示を行う指示手段を更に有することを特徴とする前記（１）に記載の画像形成装置。
（３）前記転写材の単位面積あたりの重さである坪量を検知する坪量検知手段と、温度を検知する温度検知手段と、湿度を検知する湿度検知手段と、を更に有し、前記条件成立判定手段は、前記坪量検知手段による坪量検知結果と、前記温度検知手段による温度検知結果と、前記湿度検知手段による湿度検知結果とが、各坪量の範囲ごとの温度及び湿度の対応が前記縁無し印刷を禁止する場合に該当するときに、前記縁無し印刷を中断する条件が成立していると判定することを特徴とする前記（１）に記載の画像形成装置。
（４）温度を検知する温度検知手段と、湿度を検知する湿度検知手段と、を更に有し、前記条件成立判定手段は、前記温度検知手段による温度検知結果と、前記湿度検知手段による湿度検知結果とが、温度及び湿度の対応が前記縁無し印刷を禁止する場合に該当するときに、前記縁無し印刷を中断する条件が成立していると判定することを特徴とする前記（１）に記載の画像形成装置。
（５）前記転写材の単位面積あたりの重さである坪量を検知する坪量検知手段を更に有し、前記中断手段は、前記坪量検知手段の検知結果により、坪量が閾値以下の転写材が検知された場合に、縁無し印刷を中断することを特徴とする前記（１）に記載の画像形成装置。
（６）廃トナー回収ユニットと、縁無し印刷する上で中間転写ベルトに一次転写されたトナー像を転写材に二次転写するための縁無し印刷用二次転写ユニットと、排紙オプションと、を更に有し、前記縁なし印刷を中断する条件は、前記廃トナー回収ユニットの廃トナー量が所定量以上であること、或いは前記縁無し印刷用二次転写ユニットが装着されていないこと、或いは前記排紙オプションが縁無し印字を許可していないことであることを特徴とする前記（１）乃至（５）の何れか１項に記載の画像形成装置。
（７）前記中断手段は、転写材の搬送制御により、転写材の先端に印字しない部分を形成し、ミスプリントを発生させ、前記指示手段は、前記ミスプリントの発生をもって縁無し印刷から縁あり印刷に変更し再度印刷指示を行うことを特徴とする前記（２）に記載の画像形成装置。
【手続補正４】
【補正対象書類名】明細書
【補正対象項目名】００２８
【補正方法】削除
【補正の内容】
【手続補正５】
【補正対象書類名】明細書
【補正対象項目名】００２９
【補正方法】削除
【補正の内容】
【手続補正６】
【補正対象書類名】明細書
【補正対象項目名】００３０
【補正方法】削除
【補正の内容】
【手続補正７】
【補正対象書類名】明細書
【補正対象項目名】００３１
【補正方法】削除
【補正の内容】
【手続補正８】
【補正対象書類名】明細書
【補正対象項目名】００３２
【補正方法】削除
【補正の内容】
【手続補正９】
【補正対象書類名】明細書
【補正対象項目名】００３３
【補正方法】削除
【補正の内容】
【手続補正１０】
【補正対象書類名】明細書
【補正対象項目名】００３４
【補正方法】削除
【補正の内容】
【手続補正１１】
【補正対象書類名】明細書
【補正対象項目名】００３５
【補正方法】削除
【補正の内容】
【手続補正１２】
【補正対象書類名】明細書
【補正対象項目名】００３６
【補正方法】削除
【補正の内容】
【手続補正１３】
【補正対象書類名】明細書
【補正対象項目名】００３７
【補正方法】削除
【補正の内容】
【手続補正１４】
【補正対象書類名】明細書
【補正対象項目名】００３８
【補正方法】削除
【補正の内容】
【手続補正１５】
【補正対象書類名】明細書
【補正対象項目名】００３９
【補正方法】削除
【補正の内容】
【手続補正１６】
【補正対象書類名】明細書
【補正対象項目名】００４０
【補正方法】削除
【補正の内容】
【手続補正１７】
【補正対象書類名】明細書
【補正対象項目名】００４１
【補正方法】削除
【補正の内容】
【手続補正１８】
【補正対象書類名】明細書
【補正対象項目名】００４２
【補正方法】削除
【補正の内容】
【手続補正１９】
【補正対象書類名】明細書
【補正対象項目名】００４３
【補正方法】変更
【補正の内容】
【００４３】
本発明によれば、縁なし印刷実施時に、周囲環境や転写材の厚み材質を検出し、転写材の縁までの印刷を中断することにより、巻きつきを防止し、ユーザが行うジャム処理を容易にする。さらに印刷を中断した時の処理として、廃トナー量を増やさない制御を行うことにより廃トナーボトルの寿命を延長することができるなどのリカバリー動作を行うことができる。
【手続補正２０】
【補正対象書類名】図面
【補正対象項目名】図９
【補正方法】変更
【補正の内容】
【図９】
2006315241.tif 000001